(57)【要約】      （修正有）【課題】データファイルの割符処理において、パソコンが違っても常に同じ割符環境を提供する。【解決手段】ＵＳＢメモリが、格納手段、割符処理手段及び識別認証情報取得手段を内蔵する。割符処理手段は、Windows（登録商標）ＯＳを形成・実行するプログラム及び割符処理を実行するプログラムを含んだ割符処理機能及び割符ファイルを消去・復帰させるプログラムを含む。WindowsＯＳを実行するプログラム及び割符処理を実行するプログラムは、プログラムの実行に必要とされるパソコンの環境情報を参照し取得して、ＵＳＢメモリ内で、ＵＳＢメモリ内の格納手段に格納されたデータファイルについて、データ割符処理を実行する割符処理、及び割符ファイルの外部の各種ストレージへの送信・消去・復帰及び割符ショートカット処理を行う。【選択図】図２
2019082821.tif 000002
【特許請求の範囲】
【請求項１】
パソコンにプログラムをインストールせずにプログラムを実行するために、ＵＳＢメモリ内にプログラム及びデータの他に環境情報を有し、プログラムが実行されたときに、ＵＳＢメモリ内のプログラムはパソコンプログラム実行領域にロードされず、プログラムの実行に必要とされるパソコンの環境情報を参照し取得することで、データファイルの割符処理をＵＳＢメモリ内でそのまま実行させるシステムであって、
ＵＳＢメモリが格納手段、割符処理手段及び識別認証情報取得手段を内蔵し、
前記プログラムがパソコンに内蔵された、パソコンを起動するＯＳとは別個のWindowsＯＳを形成・実行するプログラム及び割符設定のソフトウエアを実行するプログラム、書き換え不能な識別認証情報に基づいて生成された環境情報を取得するプログラムからなり、格納手段に、これら３つのプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行し、外部のストレージ、またはＵＳＢメモリ内に保存する割符処理機能を有して形成され、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別情報を取得する識別認証情報取得機能を有して形成され、
当該ＵＳＢメモリがパソコンのＵＳＢポートに差し込まれ、所定の操作がなされると、識別情報取得手段が作動されて、所定の識別認証情報が識別されると、当該ＵＳＢメモリ内のWindowsＯＳを形成・実行するプログラム及び割符処理を実行するプログラムが実行され、当該プログラムの実行に必要とされるパソコンの環境情報が参照され取得されて当該ＵＳＢメモリ内で、当該ＵＳＢメモリ内の格納手段に格納されたデータファイルについて、データ割符処理が実行されること
を特徴とするデータファイルの割符処理をＵＳＢメモリでそのまま実行させるシステム。
【請求項２】
請求項１に記載されたデータファイルの割符処理をＵＳＢメモリでそのまま実行させるシステムにおいて、割符処理手段が割符ファイルの消去・復元機能及び割符ファイルの保存先を記録させる割符ショートカット処理のためのプログラムを含み、ＵＳＢメモリ内の割符ファイルの消去・ＵＳＢメモリ内への復帰を実行して、割符ファイルを外部の各種ストレージへの送信・消去・復帰させる割符ファイルの送信・消去・復帰機能、及び割符ファイルの割符ショートカット処理機能を有して形成され、書き換え不能な識別情報に基づいて生成された環境情報を取得するプログラムを含み、割符ファイルの保存先を記録させる割符ショートカット処理を実行する割符ショートカット処理機能を有することを特徴とするデータファイルの割符処理をＵＳＢメモリでそのまま実行させるシステム。
【請求項３】
格納手段、割符処理手段及び識別認証情報取得手段を内蔵し、
格納手段にパソコンに内蔵されたパソコンを起動するＯＳとは別個のWindowsＯＳを形成・実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成されること
を特徴とするデータファイルの割符処理をそのまま実行するＵＳＢメモリ。
【請求項４】
格納手段、割符処理手段及び識別認証情報取得手段を内蔵し、
格納手段にパソコンに内蔵されたパソコンを起動するＯＳとは別個のWindowsＯＳを形成・実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
割符ファイルの消去・復元機能及び割符ファイルの保存先を記録させる割符ショートカット処理のためのプログラムを含み、ＵＳＢメモリ内の割符ファイルの外部の各種ストレージへの送信・消去・ＵＳＢメモリ内への復帰を実行して、割符ファイルを送信・消去・復帰させる割符ファイルの送信・消去・復帰機能、及び
割符ファイルの割符ショートカット処理機能を有して形成され、書き換え不能な識別情報に基づいて生成された環境情報を取得するプログラムを含み、割符ファイルの保存先を記録させる割符ショートカット処理を実行する割符ショートカット処理機能を有して形成され、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成されること
を特徴とするデータファイルの割符処理をそのまま実行するＵＳＢメモリ。
【請求項５】
ＵＳＢメモリが、格納手段、割符処理手段及び識別認証情報取得手段を内蔵し、
格納手段に、コンピュータに内蔵されたパソコンを起動するＯＳとは別個のパソコンのＯＳを実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
パソコンのＯＳを形成・実行するプログラム及び割符処理を実行するプログラムを含んだ割符処理機能及び割符ファイルを消去・復帰させるプログラムを含み、  コンピュータＯＳを形成・実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
割符ファイルの消去・復元機能及び割符ファイルの保存先を記録させる割符ショートカット処理のためのプログラムを含み、ＵＳＢメモリ内の割符ファイルの送信・消去・ＵＳＢメモリ内への復帰を実行して、割符ファイルを送信・消去・復帰させる割符ファイルの外部の各種ストレージへの送信・消去・復帰機能、及び
割符ファイルの割符ショートカット処理機能を有して形成され、書き換え不能な識別認証情報に基づいて生成された環境情報を取得するプログラムを含み、割符ファイルの保存先を記録させる割符ショートカット処理を実行する割符ショートカット処理機能を有して形成され、
識別認証情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成された、当該ＵＳＢメモリの顧客への提供方法において、
前記割符ファイルの送信・消去・復帰機能によって、ＵＳＢメモリで生成された割符ファイルは、その全てが、または一つの割符ファイルを除いて他の全てがＵＳＢメモリ内に保存されずに消去され、
前記割符処理機能によって、前記割符ショートカット処理機能が作動可能とされ、割符ファイルの保存先の記録がパソコンの画面に表示可能とされ、
前記割符ショートカット処理機能によって、パソコンの画面上に表示された割符ファイルの保存先の記録が指定されると、消去された割符ファイルがＵＳＢ内に復帰され、
前記割符処理機能によって、パソコンに内蔵されたパソコンを起動するＯＳによる起動とは別個に、当該ＵＳＢメモリ内で、当該ＵＳＢメモリ内の格納手段に格納されたデータファイルについて、データ割符処理が実行され、復帰された割符ファイルから元のデータファイルが復元可能とされ、復元されたデータファイルがパソコンの画面に表示されるようにして、ＵＳＢメモリが顧客に提供されること
を特徴とするＵＳＢメモリの顧客への提供方法。
【発明の詳細な説明】
【技術分野】
【０００１】
本発明は、データファイルの割符処理をＵＳＢメモリでそのまま実行させるシステム及びＵＳＢメモリ、及びＵＳＢメモリの顧客への提供方法に関する。
【背景技術】
【０００２】
識別情報と乱数などのごみ情報をランダムに組み合わせて電子割符情報生成がなされる。
【０００３】
情報漏洩対策が企業のあるいは個人にとっても重要な課題となっている。このような状況下、暗号化とは異なる電子割符という手法を用いたセキュリテイの確保がなされるようになった。電子割符手法は、データを分割して割符化し、別々の媒体に保管するもので、全てあるいは所定の割符データが揃わないと元のデータに復元できない特徴があり、暗号化によるセキュリテイの確保に比べてより安全性が高い。
【０００４】
電子割符手法として、予め対象となるフォルダを指定しておくだけで、自動的にデータの割符化・復元を行うことができるようにしたものが提案された。これによって、電子割符手法が手軽に利用できるようになった。ＵＳＢメモリをパソコンに挿入すると、予め設定したフォルダ内のファイルを自動で割符化し、復元を行う。業務開始時に、ＵＳＢメモリをパソコンに挿入すると、自動的に業務データを復元できる状態になり、ファイルを予め設定したフォルダ内に保存すると、自動的に業務データが割符化される。
【０００５】
特許文献１には、割符生成法及び復元方法が記載される。
【０００６】
特許文献２には、記憶部に、識別情報と乱数に基づいて生成された乱数ＩＤ情報とコンピュータに、データファイルから、割符情報を生成させ、当該割符情報を記憶部に記憶させ、使用した乱数ＩＤ情報を記憶部から削除させる割符処理プログラムとを記憶させることが記載される。
【先行技術文献】
【特許文献】
【０００７】
【特許文献１】特許第４０３９８１０号公報
【特許文献２】特開２００７−２３３２２６号公報
【発明の概要】
【発明が解決しようとする課題】
【０００８】
特許文献１は、割符生成法及び復元方法を記載する。ＵＳＢメモリも用いた割符処理については言及しない。
【０００９】
従来の手法によれば、割符の生成は、パソコンのWindows（登録商標）ＯＳが用いられてなされた。割符の設定は、パソコンごとに行うことが必要とされ、パソコンが異なれば、操作を対応させることが求められ、パソコンが違ってもいつも同じ割符環境を提供して欲しいとする顧客のニーズに十分に応えるものとはなっていない。
【００１０】
特許文献２に記載されるように、ＵＳＢメモリに割符処理部が設けられていても、この割符処理部の機能は、パソコンに、データファイルから、割符情報を生成させるための割符条件設定を行う機能であって、割符の生成は、パソコンのWindowsＯＳが用いられてなされた。使用した乱数ＩＤ情報を記憶部から削除させる割符処理プログラムを有することで、セキュリテイの確保による情報漏洩対策上の安全性が向上したが、生成された割符情報がＵＳＢメモリ内に格納されるため、ＵＳＢメモリの持ち運び時にＵＳＢを喪失したということが生じたときに、十分なる安全性が確保されたものとはいえない。
【００１１】
これらの問題は、パソコンに格納されたWindowsＯＳを使用することで、割符情報を生成する限り解決されない。
【００１２】
本発明は、かかる点に鑑みパソコンが違っても常に同じ割符環境を提供して、パソコンが違ってもいつも同じ割符環境を提供して欲しいとする顧客のニーズに十分に応えることを課題とする。さらに、ＵＳＢメモリの持ち運び時にＵＳＢを喪失したということが生じたときがあっても、十分なる安全性が確保され、セキュリテイの確保による情報漏洩対策上の安全性を確保することを課題とする。
【課題を解決するための手段】
【００１３】
特許文献１、特許文献２に示されるように、割符処理自体についてはよく知られている。
【００１４】
本発明は、WindowsＯＳと割符情報処理を実行するソフトウエアをペアとしてＵＳＢに格納して割符ＬｉｖｅＵＳＢを形成し、当該割符ＬｉｖｅＵＳＢを用いることで、パソコンが違っても常に同じ割符環境を提供して、パソコンが違ってもいつも同じ割符環境を提供して欲しいとする顧客のニーズに十分に応え、またＵＳＢメモリの持ち運び時にＵＳＢを喪失したということが生じたときがあっても、十分なる安全性が確保され、セキュリテイの確保による情報漏洩対策上の安全性を確保する。
【００１５】
ここでは、WindowsＯＳと割符情報処理を実行するソフトウエアをペアとしてＵＳＢに格納したＵＳＢを“割符ＬｉｖｅＵＳＢ”と呼ぶ。
【００１６】
本発明の特許文献１記載の「可搬性記憶媒体」に比べてのメリット：
特許文献１には、可搬性記憶媒体内に割符処理を行う割符処理部、ＵＳＢメモリの各媒体固有の情報である識別情報、割符処理に利用される乱数ＩＤ情報及び割符処理後に記憶される割符情報を格納する格納手段を備えることが記載され、コンピュータに、任意のデータファイルから、割符情報を生成させることが記載されている。
【００１７】
この記載された方式によれば、割符処理部がコンピュータに、任意のデータファイルから、割符情報を生成させるに要する条件設定処理を行っており、任意のデータファイルの割符情報を生成して割符ファイルがコンピュータ内で実行されるものとなっている。割符ファイルがコンピュータ内で実行されるために、当該コンピュータに内蔵された固有のＯＳが用いられる。
【００１８】
したがって、この方式によれば、各コンピュータのＯＳに依存したコンピュータ操作環境とされ、コンピュータが異なっても常に同じ環境が起動されることにはならず、常に同じ割符環境が起動されることにはならない。
【００１９】
これに対して、請求項に記載した割符ＬｉｖｅＵＳＢが用いられることで、
「格納されたデータファイルについて、当該ＵＳＢメモリ内での割符情報の生成を実行して割符ファイルを生成し、生成された割符ファイルの全てを、または一つの割符ファイルを除いて他の全てを外部の割符保存手段に保存させること」
がなされるので、使用されるコンピュータの機種に依存することなく常に同じ割符環境設定となり、常に同じWindows環境が起動され、同じ割符環境が起動され、データファイル作成を使用されるコンピュータの機種に依存することなく同時期設定された環境の中で行うことでき、作成されたデータファイルは、即割符化して生成された割符ファイルの全てを、または一つの割符ファイルを除いて他の全てを外部の割符保存手段に保存させることができる。ＵＳＢが盗用されても盗用者はデータファイルの復元はできず、ユーザーである利用者は、常に同じＯＳ、例えばWindowsＯＳ割符環境の下に、データファイルの割符化を行うことができる。
【００２０】
本発明は、具体的には、本発明は、パソコンにプログラムをインストールせずにプログラムを実行するために、ＵＳＢメモリ内にプログラム及びデータの他に環境情報を有し、プログラムが実行されたときに、ＵＳＢメモリ内のプログラムはパソコンプログラム実行領域にロードされず、プログラムの実行に必要とされるパソコンの環境情報を参照し取得することで、データファイルの割符処理をＵＳＢメモリ内でそのまま実行させるシステムであって、
ＵＳＢメモリが格納手段、割符処理手段及び識別認証情報取得手段を内蔵し、
前記プログラムがパソコンに内蔵された、パソコンを起動するＯＳとは別個のWindowsＯＳを形成・実行するプログラム及び割符設定のソフトウエアを実行するプログラム、書き換え不能な識別認証情報に基づいて生成された環境情報を取得するプログラムからなり、格納手段に、これら３つのプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行し、ネットワーク上またはインターネット上のストレージ、またはＵＳＢメモリ内に保存する割符処理機能を有して形成され、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別情報を取得する識別認証情報取得機能を有して形成され、
当該ＵＳＢメモリがパソコンのＵＳＢポートに差し込まれ、所定の操作がなされると、識別情報取得手段が作動されて、所定の識別認証情報が識別されると、当該ＵＳＢメモリ内のWindowsＯＳを形成・実行するプログラム及び割符処理を実行するプログラムが実行され、当該プログラムの実行に必要とされるパソコンの環境情報が参照され取得されて当該ＵＳＢメモリ内で、当該ＵＳＢメモリ内の格納手段に格納されたデータファイルについて、データ割符処理が実行されること
を特徴とするデータファイルの割符処理をＵＳＢメモリでそのまま実行させるシステムを提供する。
【００２１】
本発明は、上述されたデータファイルの割符処理をＵＳＢメモリでそのまま実行させるシステムにおいて、割符処理手段が割符ファイルの消去・復元機能及び割符ファイルの保存先を記録させる割符ショートカット処理のためのプログラムを含み、ＵＳＢメモリ内の割符ファイルの消去・ＵＳＢメモリ内への復帰を実行して、割符ファイルを外部の各種ストレージへの送信・消去・復帰させる割符ファイルの送信・消去・復帰機能、及び割符ファイルの割符ショートカット処理機能を有して形成され、書き換え不能な識別情報に基づいて生成された環境情報を取得するプログラムを含み、割符ファイルの保存先を記録させる割符ショートカット処理を実行する割符ショートカット処理機能を有することを特徴とするデータファイルの割符処理をＵＳＢメモリでそのまま実行させるシステムを提供する。
【００２２】
本発明は、格納手段、割符処理手段及び識別認証情報取得手段を内蔵し、
格納手段にパソコンに内蔵されたパソコンを起動するＯＳとは別個のWindowsＯＳを形成・実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成されること
を特徴とするデータファイルの割符処理をそのまま実行するＵＳＢメモリを提供する。
【００２３】
本発明は、格納手段、割符処理手段及び識別認証情報取得手段を内蔵し、
格納手段にパソコンに内蔵されたパソコンを起動するＯＳとは別個のWindowsＯＳを形成・実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
割符ファイルの消去・復元機能及び割符ファイルの保存先を記録させる割符ショートカット処理のためのプログラムを含み、ＵＳＢメモリ内の割符ファイルの外部の各種ストレージへの送信・消去・ＵＳＢメモリ内への復帰を実行して、割符ファイルを送信・消去・復帰させる割符ファイルの送信・消去・復帰機能、及び
割符ファイルの割符ショートカット処理機能を有して形成され、書き換え不能な識別情報に基づいて生成された環境情報を取得するプログラムを含み、割符ファイルの保存先を記録させる割符ショートカット処理を実行する割符ショートカット処理機能を有して形成され、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成されること
を特徴とするデータファイルの割符処理をそのまま実行するＵＳＢメモリを提供する。
【００２４】
本発明は、ＵＳＢメモリが、格納手段、割符処理手段及び識別認証情報取得手段を内蔵し、
格納手段に、コンピュータに内蔵されたパソコンを起動するＯＳとは別個のパソコンのＯＳを実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
パソコンのＯＳを形成・実行するプログラム及び割符処理を実行するプログラムを含んだ割符処理機能及び割符ファイルを消去・復帰させるプログラムを含み、  コンピュータＯＳを形成・実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
割符ファイルの消去・復元機能及び割符ファイルの保存先を記録させる割符ショートカット処理のためのプログラムを含み、ＵＳＢメモリ内の割符ファイルの送信・消去・ＵＳＢメモリ内への復帰を実行して、割符ファイルを送信・消去・復帰させる割符ファイルの外部の各種ストレージへの送信・消去・復帰機能、及び
割符ファイルの割符ショートカット処理機能を有して形成され、書き換え不能な識別認証情報に基づいて生成された環境情報を取得するプログラムを含み、割符ファイルの保存先を記録させる割符ショートカット処理を実行する割符ショートカット処理機能を有して形成され、
識別認証情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成された、当該ＵＳＢメモリの顧客への提供方法において、
前記割符ファイルの送信・消去・復帰機能によって、ＵＳＢメモリで生成された割符ファイルは、その全てが、または一つの割符ファイルを除いて他の全てがＵＳＢメモリ内に保存されずに消去され、
前記割符処理機能によって、前記割符ショートカット処理機能が作動可能とされ、割符ファイルの保存先の記録がパソコンの画面に表示可能とされ、
前記割符ショートカット処理機能によって、パソコンの画面上に表示された割符ファイルの保存先の記録が指定されると、消去された割符ファイルがＵＳＢ内に復帰され、
前記割符処理機能によって、パソコンに内蔵されたパソコンを起動するＯＳによる起動とは別個に、当該ＵＳＢメモリ内で、当該ＵＳＢメモリ内の格納手段に格納されたデータファイルについて、データ割符処理が実行され、復帰された割符ファイルから元のデータファイルが復元可能とされ、復元されたデータファイルがパソコンの画面に表示されるようにして、ＵＳＢメモリが顧客に提供されること
を特徴とするＵＳＢメモリの顧客への提供方法を提供する。
【発明の効果】
【００２５】
本発明によれば、割符処理手段が、パソコンのＯＳ，典型的にWindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能を有して形成される。
【００２６】
これによって、パソコンに内蔵されたパソコンを起動するＯＳによる起動とは別個に、当該ＵＳＢメモリ内で、当該ＵＳＢメモリ内の格納手段に格納されたデータファイルについて、データ割符処理が実行され、復帰された割符ファイルから元のデータファイルが復元可能とされ、復元されたデータファイルがパソコンの画面に表示されるようにして、ＵＳＢメモリである割符ＬｉｖｅＵＳＢが顧客に提供される。
【００２７】
本発明によれば、パソコンが違っても常に同じ割符環境を提供して、パソコンが違ってもいつも同じ割符環境を提供して欲しいとする顧客のニーズに十分に応えたいとする課題、さらに、ＵＳＢメモリの持ち運び時にＵＳＢを喪失したということが生じたときがあっても、十分なる安全性が確保され、セキュリテイの確保による情報漏洩対策上の安全性を確保することを課題が解決される。
【図面の簡単な説明】
【００２８】
【図１】本発明の実施例であるデータファイルの割符処理をＵＳＢメモリ内でそのまま実行させるシステムを示す図
【図２】ＵＳＢ内の割符ＬｉｖｅＵＳＢが備える各種手段をブロックで示す図
【図３】ＵＳＢ内の割符ＬｉｖｅＵＳＢ使用時及び非使用時のシステム状態を示す図
【図４】識別認証情報取得機能によって識別認証を説明する図
【図５】割符、復元の実行・操作フローを示す図
【図６】割符の保存と割符のショートカットによる記録を示す図
【図７】割符のショートカット動作を示す図
【図８】管理情報を表示する画像の１例を示す図
【図９】管理情報を表示する画面の他の例を示す図
【図１０】処理ログ情報を表示する割符履歴画面の例を示す図
【発明を実施するための形態】
【００２９】
以下、本発明を、図面を参照して説明する。
【００３０】
図１は、本発明の実施例であるデータファイルの割符処理をＵＳＢメモリ内でそのまま実行させるシステム（以下、当該システムという。）１００を示す図である。
【００３１】
図１において、当該システム１００は、パソコン（ＰＣ）１０１と割符ＬｉｖｅＵＳＢ１０２とからなる。パソコン１０１が典型的な端末として選択された。
【００３２】
パソコン１０１は、通常の典型的なパソコンであり、機種を問わない。具体的には、パソコン１０１が、その内部にあるパソコン操作の基本となるＯＳ、例えばWindows ＯＳのバージョンを内蔵しているかどうかは問題とされない。ここで、ＯＳとは、コンピュータを動かすためのソフトウエアのことである。Operating System オペレーションシステムの略で、コンピュータ全体を管理し、制御し、人が使えるようにする役割を持つ。コンピュータを使う上で、基本となるソフトウエアなので、ＯＳは、基本ソフトウエアと呼ばれる。パソコンに関していうと、Microsoft(登録商標)のWindowsが最も有名である。パソコンには、マイクロソフト社のWindowsとアップル社のパソコンＭａｃ（Ｍａｃは登録商標）に搭載されているＭａｃ  ＯＳが有名である。他にグーグル社のＣｈｒｏｍｅ  ＯＳなどがある。
【００３３】
ＯＳは、ＨＤＤやＳＳＤなどのストレージに、あるいはフラッシュメモリにインストールされている。ＯＳをストレージにインストールしただけでは、接続されているハードウエアを正しく認識して動作されることができないこともあるので、通常はドライバと呼ばれるソフトウエアを使う。ハードウエア間のデータの受け渡し・移動などもＯＳがあることで可能になっている。本実施例において、コンピュータＯＳとしてWindows ＯＳが選択された。Windows ＯＳとして、次に示される対象ＯＳが対象となる。
Windows 10 Home、Windows 10 Pro、Windows 8.1、Windows 8.1 Pro、Windows 8.1 Enterprise、Windows RT 8.1 、Windows 8、 Windows 8 Pro、Windows 8 Enterprise、Windows RT、Windows 7 Home Premium、Windows 7 Professional 、Windows 7 Ultimate  本発明は、かかるWindowsＯＳを採用したときに効果が発揮される。
【００３４】
WindowsＯＳをＵＳＢに取り込み、割符ＬｉｖｅＵＳＢ１０２を作成することは、
・Microsoftがそのためのプログラムや手順を提供していること
・市販のインストールデスクがなくても、MicrosoftがＩＳＯファイルとして
Windowsをダウンロード提供していること
・ＵＳＢメモリが３２ＧＢ以上、ＵＳＢ２．０でも対応しているため、器材としての
ＵＳＢの用意が簡単であること
によって容易になし得る。
【００３５】
図１において、パソコン１０１は、周知のように、ＣＰＵ１、メモリ２、ＨＤＤ３、電源装置４、周辺機器接続装置５、ＢＩＯＳ６及びＵＳＢポート７、さらには画面表示手段（図示せず）を有している。
【００３６】
図に記載したように、割符ＬｉｖｅＵＳＢ１０２の使用時には、ＨＤＤ３は一切使用されない。そのため、パソコン上のＯＳやプログラムは起動できない。また、ＨＤＤ３にもアクセスできない。
【００３７】
割符ＬｉｖｅＵＳＢ１０２使用時は、電源装置４及び周辺機器接続装置５のハードウエアが使用される。周辺機器とは、インターネット通信機器、外部記憶媒体、キーボード、マウス、デイスプレイ等である。
【００３８】
使用前にシステム起動順を、割符ＬｉｖｅＵＳＢ１０２をパソコン１０１に接続し、割符ＬｉｖｅＵＳＢ１０２内のＯＳがブートされるようにする。
【００３９】
割符ＬｉｖｅＵＳＢ１０２は、WindowsＯＳ１１、プログラム領域１２及びデータ領域１３を備え、プログラム領域１２に割部処理手段（割符処理部）部１４が形成される。
【００４０】
WindowsＯＳ１１は、周辺機器ドライバー１５をインストールし、電源設定１６する。
【００４１】
図に記載したように、割符ＬｉｖｅＵＳＢ１０２の接続時に使用するパソコン側ハードウエアのドライバー１５をインストールする。WindowsＯＳの割符ＬｉｖｅＵＳＢ１０２への設定は、容易になされ得る。
【００４２】
パソコン１０１がスリープモードに移行した時に、割符ＬｉｖｅＵＳＢ１０２が原本ファイル（元のデータファイル）を削除するよう電源設定を行う。
【００４３】
割符処理手段（割符処理部）１４は、ＵＳＢ内の割符ＬｉｖｅＵＳＢ１０２アプリケーションがファイルの分割・復元・エクスポート・インポート等の各種割符処理を行う。
【００４４】
パソコン側のＢＩＯＳ設定により、割符ＬｉｖｅＵＳＢ１０２の使用時には、割符ＬｉｖｅＵＳＢ１０２内のWindowsＯＳが起動される。割符ＬｉｖｅＵＳＢ１０２内のプログラムのみ使用可能になる。パソコン側のWindowsＯＳは使用されないし、使用する必要がない。
【００４５】
データ領域１３、すなわちＵＳＢ内の割符ＬｉｖｅＵＳＢ１０２には、生成された割符の実ファイル（生成された割符ファイル）は保存されず、割符のショートカットのみが保存される。割符のショートカット処理については後述する。
【００４６】
図に示すように、割符ＬｉｖｅＵＳＢ１０２をパソコン１０１のＵＳＢポート７に接続して電源装置４によってパソコン電源を投入する。
【００４７】
図２は、割符ＬｉｖｅＵＳＢ１０２が備える各種手段をブロックで示す図である。
【００４８】
図２において、割符ＬｉｖｅＵＳＢ１０２は、その内部に、割符処理手段２１、識別認証情報取得手段２２、パソコンへの接続手段２３、外部認証装置への接続手段２４及び格納手段２５を備える。
【００４９】
格納手段２５には、
・WindowsＯＳ
・割符処理ソフトウエアすなわち割符処理を実行するプログラム
・環境情報
所定の識別認証用情報
・管理情報
・データファイル
・割符ファイル（実ファイル）
からなる媒体が格納される。
【００５０】
割符処理手段２１には、格納手段２５に格納された各媒体を使用することで、
・割符処理手段
・割符ファイルの外部の各種ストレージへの送信・消去・復帰機能
これには、元のデータファイルの消去が含まれる。
【００５１】
・元のデータファイルへの復元機能
・割符ショートカット処理機能
が形成される。
【００５２】
識別認証情報取得手段２２によって、
・所定の識別認証情報の取得
・割符処理機能の作動
がなされる。
【００５３】
パソコンへの接続手段２３は、
・ＵＳＢ差し込み部を備え、割符ＬｉｖｅＵＳＢ１０２をパソコン１０１のＵＳＢポート７に接続する。
【００５４】
外部認証装置への接続手段２４は、ＵＳＢ内の割符ＬｉｖｅＵＳＢ１０２からの通信信号を外部の認証装置に伝達して、認証結果を取得する。
【００５５】
図３は、ＵＳＢ内の割符ＬｉｖｅＵＳＢ使用時及び非使用時のシステム状態を示す図である。図３左図がＵＳＢ内の割符ＬｉｖｅＵＳＢ使用時システム状態を示し、図３右図がＵＳＢ内の割符ＬｉｖｅＵＳＢ非使用時システム状態を示す。
【００５６】
図３に示されるように、割符ＬｉｖｅＵＳＢ使用時システム状態において、割符ＬｉｖｅＵＳＢ１０２側で、WindowsＯＳ１１、プログラム領域１２（割符処理手段１４）及びデータ領域１３が使用され、パソコン１０１側でパソコン１０１がその内部に固有して備えるWindowsＯＳ３１、プログラム領域３２（割符処理手段３４）及びデータ処理領域３３が使用されない。この時に、パソコン１０１側でパソコン１０１が固有して備えるＣＰＵ１，メモリ２、電源装置４、周辺機器接続装置５が使用される。
【００５７】
割符ＬｉｖｅＵＳＢ非使用時システム状態において、パソコン側でパソコンがその内部に固有して備えるWindowsＯＳ３１、プログラム領域３２（割符処理手段３４）及びデータ処理領域３３が使用され、及びＣＰＵ１，メモリ２、電源装置４、周辺機器接続装置５が使用される。このように、ＨＤＤ３が使用される。
【００５８】
この状態において、パソコンドライブ上の割符や割符保存先は、そのままの状態で使用可能である。
【００５９】
図４は、識別情報取得手段が持つ識別認証情報取得機能によって識別認証方法を説明する図である。
【００６０】
図４において、識別認証情報取得機能による識別認証方法は、割符ＬｉｖｅＵＳＢ１０２内の機能によって、又は外部の認証管理側装置との連携によって形成され得る。
【００６１】
割符ＬｉｖｅＵＳＢ１０２内の機能によって識別認証方法を形成する場合、パスワード認証モードが採用され、外部の認証管理側装置との連携によって形成する場合、ＱＲ認証モードが採用される。外部の認証管理側装置には、スマートフォン３９及び認証管理側装置４０が用いられる。
【００６２】
割符ＬｉｖｅＵＳＢ１０２がパソコン１０１に設けられたＵＳＢポート７への接続によりにログイン操作が開始４１されると、端末であるパソコン１０１がインターネットに接続可能かが判定４２される。
【００６３】
インターネットに接続が不可能な場合、割符ＬｉｖｅＵＳＢ１０２内の機能によって識別認証方法が採用される。パスワード認証モード４３に移行する。ユーザーＩＤとパスワードを入力４４する。これによって、割符ＬｉｖｅＵＳＢ１０２のログインが完了４５し、識別認証情報取得機能による識別認証方法が作動する。
【００６４】
インターネットに接続が可能な場合、ＱＲ認証モード４６に移行する。割符ＬｉｖｅＵＳＢ１０２がＱＲコード（登録商標）を生成する。ＱＲコード（登録商標）の生成方法には既知の手法を採用できる。ユーザーは、スマートフォン３９のアプリを起動し、ＱＲコード（登録商標）を撮影４８する。スマートフォン３９から認証管理側装置４０に、
・ＱＲコード（登録商標）
・パソコン固有番号
を送信する。
【００６５】
ＱＲコード（登録商標）の送信を受けた認証管理側装置４０は、その所有する登録端末データベース４９を参照してＱＲコード（登録商標）が予め登録されたパソコン固有番号であるかを判定５０する。登録済みの場合、認証許可データを、スマートフォン３９を介して、あるいは介することなく割符ＬｉｖｅＵＳＢ１０２に送信する。割符ＬｉｖｅＵＳＢ１０２が割符ＬｉｖｅＵＳＢ１０２を受信５１する。これによって、割符ＬｉｖｅＵＳＢ１０２のログインが完了４５し、識別認証情報取得機能による識別認証方法が作動する。
【００６６】
ここでは、パスワード認証モード４３あるいは/及びＱＲ認証モード４６を採用するが、これ以外の方法であってもよい。
【００６７】
図１〜図４に示される当該システムは、割符処理手段及び識別認証情報取得手段を内蔵し、パソコンにプログラムをインストールせずにプログラムを実行するために、ＵＳＢメモリ内にプログラム及びデータの他に環境情報を有し、プログラムが実行されたときに、ＵＳＢメモリ内のプログラムはパソコンプログラム実行領域にロードされず、プログラムの実行に必要とされるパソコンの環境情報を参照し取得することで、データファイルの割符処理をＵＳＢメモリ内でそのまま実行させるシステムである。
【００６８】
格納手段、割符処理手段及び識別認証情報取得手段を内蔵し、
格納手段にパソコンに内蔵されたパソコンを起動するＯＳとは別個のWindowsＯＳを形成・実行するプログラム及び割符処理を実行するプログラム、書き換え不能な識別認証情報に基づいて生成された環境情報を取得するプログラム、及び割符ファイルを消去・復帰させるプログラム、割符ファイルの保存先を記録させるプログラムが格納され、
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成されること
を特徴とするデータファイルの割符処理をそのまま実行するＵＳＢメモリが採用される。
【００６９】
前記プログラムがパソコンに内蔵された、パソコンを起動するＯＳとは別個のWindowsＯＳを形成・実行するプログラム及び割符設定のソフトウエアを実行するプログラム、書き換え不能な識別認証情報に基づいて生成された環境情報を取得するプログラムからなり、格納手段に、これら３つのプログラムが格納される。
【００７０】
割符処理手段が、
WindowsＯＳを形成・実行するプログラム及び割符処理を実行するプログラムを含んだ割符処理機能及び割符ファイルを消去・復帰させるプログラムを含み、WindowsＯＳを実行するプログラム及び割符処理を実行するプログラムによって、当該プログラムの実行に必要とされるパソコンの環境情報を参照し取得して当該ＵＳＢメモリ内で、当該ＵＳＢメモリ内の格納手段に格納されたデータファイルについて、データ割符処理を実行する割符処理機能、
割符ファイルの消去・復機能及び割符ファイルの保存先を記録させる割符ショートカット処理のためのプログラムを含み、ＵＳＢメモリ内の割符ファイルの消去・ＵＳＢメモリ内への復帰を実行して、割符ファイルを送信・消去・復帰させる割符ファイルの外部の各種ストレージへの送信・消去・復帰機能消去・復帰機能、及び
割符ファイルの割符ショートカット処理機能を有して形成され、書き換え不能な識別情報に基づいて生成された環境情報を取得するプログラムを含み、割符ファイルの保存先を記録させる割符ショートカット処理を実行する割符ショートカット処理機能を有して形成され、
識別情報取得手段が、書き換え不能な識別認証情報に基づいて生成された環境情報を取得するプログラムを含み、当該ＵＳＢメモリがパソコンのＵＳＢポートに差し込まれ、所定の操作がなされると作動されて、所定の識別認証情報を取得する識別認証情報取得機能を有して形成されること
を特徴とするデータファイルの割符処理をそのまま実行するＵＳＢメモリが接続可能とされる。
【００７１】
割符処理手段が、割符処理機能を有して形成され、識別情報取得手段が、識別認証情報取得機能を有して形成されることで、パソコンが違っても常に同じ割符環境を提供して、パソコンが違ってもいつも同じ割符環境を提供して欲しいとする顧客のニーズに十分に応える課題が解決される。さらに、割符ファイルの送信・消去・復帰機能、及び割符ショートカット処理機能を有することで、ＵＳＢメモリの持ち運び時にＵＳＢを喪失したということが生じたときがあっても、十分なる安全性が確保され、セキュリテイの確保による情報漏洩対策上の安全性を確保する課題を解決する。
【００７２】
図５は、割符、復元の実行・操作フローを示す図である。
【００７３】
図５において、割符、復元の実行・操作フローは、割符ＬｉｖｅＵＳＢ１０２内の割符実行・操作、リモートサーバ、オンラインストレージ等での割符データの保存及び割符ＬｉｖｅＵＳＢ１０２内の割符復帰、復元実行・操作からなる。割符ＬｉｖｅＵＳＢ１０２内の割符実行・操作は、割符実行・操作そのものと、割符ショートカットの生成からなる。
【００７４】
割符ＬｉｖｅＵＳＢ１０２内の割符実行・操作において、原本ファイル（元のデータファイル）Ｓ１に乱数等のゴミデータＳ２が挿入され、混合された状態の中間ファイルＳ３が形成される。中間ファイルは、割符生成方法の適用によって複数の割符Ｓ４に、例えば図に示すように３つに分割される。原本ファイル（元のデータファイル）には、割符ＬｉｖｅＵＳＢ１０２のログインに伴って新たに生成されたデータファイル及びパソコン１０１から送信されたデータファイルからなる任意のデータファイルが含まれる。
【００７５】
リモートサーバ、オンラインストレージ等での割符データの保存において、３つに分割された割符は、リモートサーバ、オンラインストレージ等で、割符データとしての個別に保存がなされる。
【００７６】
Ｓ４において割符分割がなされ、分散されるとき、割符ショートカット処理によって割符のショートカットの生成Ｓ５がなされ、割符のショートカットとして割符ＬｉｖｅＵＳＢの格納手段２５に格納され、パソコン１０１の画面上に表示可能とされる。割符のショートカットの生成Ｓ５がなさされた割符は、個別の割符ごとに、リモートサーバ、オンラインストレージ等に保存Ｓ６される。
【００７７】
この場合に、割符データの保存は、それらの全てを割符ＬｉｖｅＵＳＢ以外の外部のリモートサーバ、ストレージにおいてなされることが最上の保存方法として推奨される。このように、割符ＬｉｖｅＵＳＢ内に一切のデータファイルが残存しないようにすることを可能とし、漏洩が防止され、ユーザーは、パソコンによる各所での作業を行うに当たって、持ち運びを割符ＬｉｖｅＵＳＢのみとして漏洩防止の安全性が向上される。
【００７８】
これによって、割符ＬｉｖｅＵＳＢ内には、一切のデータファイルを残存されることがないが、そのうちの一つ割符データを、割符ＬｉｖｅＵＳＢ１０２あるいは当該パソコン１０１内に保存されてもよい。
【００７９】
複数に分割された割符ファイルは、記録された割符のショートカットが指示されることで、割符ＬｉｖｅＵＳＢ内に集約され、集合した割符として復帰Ｓ７される。集合、復帰された割符データファイルから原本ファイル（元のデータファイル）が復元Ｓ８される。
【００８０】
図５の割符、復元の実行・操作によれば、
前記割符ファイルの送信・消去・復帰機能によって、ＵＳＢメモリで生成された割符ファイルは、その全てをが、または一つの割符ファイルを除いて他の全てがＵＳＢメモリ内に保存されずに消去され、
前記割符処理機能によって、前記割符ショートカット処理機能が作動可能とされ、割符ファイルの保存先の記録がパソコンの画面に表示可能とされ、
前記割符ショートカット処理機能によって、パソコンの画面上に表示された割符ファイルの保存先の記録が指定されると、消去された割符ファイルがＵＳＢ内に復帰され、
前記割符処理機能によって、パソコンに内蔵されたパソコンを起動するＯＳによる起動とは別個に、当該ＵＳＢメモリ内で、当該ＵＳＢメモリ内の格納手段に格納されたデータファイルについて、データ割符処理が実行され、復帰された割符ファイルから元のデータファイルが復元可能とされ、復元されたデータファイルがパソコンの画面に表示されるようにして、ＵＳＢメモリが顧客に提供されるＵＳＢメモリの顧客への提供方法が提供される。
【００８１】
図６は、割符の保存と割符のショートカットによる記録を示す図である。
【００８２】
図５において、例えば３つの割符が生成されることを説明した。割符ＬｉｖｅＵＳＢ１０２のデータ領域１３には、フォルダごとに整理されたファイル６１が原本ファイルとして格納される。上述したように、原本ファイルは割符され、ファイルごとに保存先に保存される。割符ファイルデータが保存先に保存されるとき、割符ファイルデータに割符のショートカット処理によって生成された割符のショートカット６２が記録された媒体として、格納手段２５に格納される。
【００８３】
割符６３、６４、６５の保存先としては、例えば企業内サーバ（ネットワークドライブ）６７、オンラインストレージ（ＷｅｂＤＡＶ）６８、オンラインストレージ（ＦＴＰ）６９が選択された。
【００８４】
図６において、割符処理手段が持つ割符ファイルを外部の各種ストレージへの送信・消去・復帰させる割符ファイルの送信・消去・復帰機能によって外部の各種ストレージへの送信がなされ、当該送信に基づいて保存先である外部の各種ストレージでの保存がなされる。例えば、外部保存先のストレージとしては、企業内サーバ（ネットワークドライブ）、オンラインストレージ（ＷｅｂＤＡＶ）、オンラインストレージ（ＷｅｂＤＡＶ）がある。割符６３が企業内サーバ（ネットワークドライブ）に、割符６４がネットワーク６６を介して送信され、オンラインストレージ（ＷｅｂＤＡＶ）に、そして割符６５がオンラインストレージ（ＷｅｂＤＡＶ）にそれぞれ保存された。
【００８５】
このように、ファイルを分割したとき、割符とショートカットが生成される。この時、割符はクラウド上に送付・保存される。パス情報が含まれるショートカットが割符ＬｉｖｅＵＳＢ１０２内に保存される。
【００８６】
ファイルの復元は、ユーザーがショートカット処理を実行することで達成される。
【００８７】
図７は、割符のショートカット動作を示す図である。
【００８８】
割符のショートカット動作及びその関連動作７０は、割符ソフトウエア７１とパソコン上作業フォルダ７２と外部ストレージ７３に関連する
図７において、パソコン作業フォルダ７２に、作成された原本ファイル７５が保存される。保存された原本ファイル７５は、割符処理手段に送信され、原本ファイル７６とされ、原本ファイルが上書きされて新たな原本ファイル７６が作成され、あるいは送信された原本ファイルとは関係がなく新たに作成された原本ファイル７６は、割符処理手段を構成する割符ソフトウエア７１によって複数の割符ファイル７７として生成される。この時に、割符生成状況に合わせ、次の情報を含むショートカット生成７８がなされる。
【００８９】
・割符のファイルパス
・原本のファイル名
・原本のファイルタイプ
生成された割符のショートカットは、割符が生成されたことを示すデータと共にログデータベース７９にログ記録される。
【００９０】
生成された割符ファイルは、分散され、外部ストレージに、分散された割符としてデータ保存される。
【００９１】
復元する場合、パソコン作業フォルダ７２におけるダブルクリックでショートカット指定８２する。これによって、ログデータベース７９から復元に必要な次の情報が取得される。
【００９２】
・割符のファイルパス
・原本のファイル名
・原本のファイルタイプ
これによって、ログ記録されたショートカットは、原本復元指示８２のための信号が出力される。原本復元指示８２によって、外部ストレージ７３に分割されていた割符８０は、集約され、割符処理手段に送信され、復帰され、割符ソフトウエア７１の実行によって、原本生成８３がなされる。この生成された原本は、パソコン作業フォルダ７２上に、原本ファイル７５として保存できる。
【００９３】
図８は、管理情報を表示する設定画面の１例を示す図である。
【００９４】
画面９１には、設定項目としての
・割数
・復元オプション
・割符ファイルオプション
・割符ファイル保存先
・割符対象フォルダ
・サブフォルダも割符対象にするか否か
・割符対象ファイル
が表示され、これらの項目について設定する情報が入力され、入力された項目に従って、割符ＬｉｖｅＵＳＢ１０２内での処理が割符ＬｉｖｅＵＳＢ１０２の有する機能によって自動的になされる。
【００９５】
図９は、管理情報を表示する設定画面の他の例を示す図である。
【００９６】
画面９２には、割符対象フォルダが表示され、割符対象フォルダに含まれる割符対象ファイルが表示され、クリックすることで指示することができるようにされる。割符対象フォルダにサブフォルダが存在するときに、当該サブフォルダについても割符対象にするのかを指示できるようにされる。
【００９７】
図１０は、処理ログ情報を表示する割符履歴画面の例を示す図である。
【００９８】
画面９３には、
割符ＬｉｖｅＵＳＢ１０２は、処理ログ情報として、管理情報を持つ。
【００９９】
操作ログの種類には、下記のものがある。
【０１００】
・ユーザー
・日付
・内容
〔割符〕
保存場所すべてにデータを書き込みできる状況下で、原本ファイルを割符に分
割する操作を行う。
〔仮割符〕
保存場所のいずれかにデータを書き込みできない状況下で、原本ファイルを割
符に分割する操作を行う。
〔割符ファイル削除〕
割符のファイルを削除する操作を行う。
〔割符上書き保存〕
割符ノファイルを上書きする操作を行う。
〔割符ファイル移動〕
割符のファイルを他のフォルダへ移動する操作を行う。
〔割符ファイル名変更〕
割符のファイルの名前を変更する操作を行う。
〔名前付けて保存〕
ファイル復元後にファイルを別名で保存する操作を行う。
〔割符ファイル開く〕
割符のファイルをアプリケーションで開く操作を行う。
〔割符ファイルエクスポート〕
割符ＬｉｖｅＵＳＢによる割符のエクスポート操作を行う。
〔割符ファイルインポート〕
割符ＬｉｖｅＵＳＢによる割符のインポート操作を行う。
・ファイルパス
本実施例によれば、WindowsＯＳと割符ＬｉｖｅＵＳＢとをペアとして備えたＵＳＢを形成することができ、従来必要とされたパソコンごとの割符設定は不要となり、
パソコンの機種が違っても、割符ＬｉｖｅＵＳＢを接続する操作だけでもって接続先のパソコンの機種に関係なく、常に同じ割符環境を起動できる。
【０１０１】
また、パソコンドライブうえの割符や割符保存先をそのまま利用することができ、どのパソコンであっても、いつもと同じ操作でデータファイルを割符化できる。接続先にパソコン及び割符ＬｉｖｅＵＳＢに一切のデータファイル並びに割符ファイルについてもが残存しないようにすることができ、割符ＬｉｖｅＵＳＢを持ち歩いた時の漏洩の防止をすることができ、もって持ち運びは割符ＬｉｖｅＵＳＢだけにして、あとはパソコンに接続するだけで業務を再開することができる、ユーザー指向のシステムを提案できる。
【符号の説明】
【０１０２】
１００…データファイルの割符処理をＵＳＢメモリ内でそのまま実行させるシステム（当該システム）、１０１…パソコン（ＰＣ），１０２…割符ＬｉｖｅＵＳＢ、１１…WindowsＯＳ、１２…プログラム領域、１３…データ領域、１４…割符処理手段（割符処理部）、１５…周辺機器ドライバー、１６…電源設定、２１…割符処理手段、２２…識別認証情報取得手段、２３…パソコンへの接続手段、２４…外部認証装置への接続手段、２５…格納手段。
【図１】
2019082821.tif 000003
【図２】
2019082821.tif 000004
【図３】
2019082821.tif 000005
【図４】
2019082821.tif 000006
【図５】
2019082821.tif 000007
【図６】
2019082821.tif 000008
【図７】
2019082821.tif 000009
【図８】
2019082821.tif 000010
【図９】
2019082821.tif 000011
【図１０】
2019082821.tif 000012
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるデータファイルの割符処理をＵＳＢメモリで実行させるシステムであって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするデータファイルの割符処理をＵＳＢメモリで実行させるシステム。
【請求項２】
請求項１に記載されたデータファイルの割符処理をＵＳＢメモリで実行させるシステムにおいて、割符処理手段が割符ファイルの消去・復元機能及び割符ファイルの保存先を記録させる割符ショートカット処理のためのプログラムを含み、ＵＳＢメモリ内の割符ファイルの消去・ＵＳＢメモリ内への復帰を実行して、割符ファイルを外部の各種ストレージへの送信・消去・復帰させる割符ファイルの送信・消去・復帰機能、及び割符ファイルの割符ショートカット処理機能を有して形成され、書き換え不能な識別認証情報に基づいて生成された環境情報を取得するプログラムを含み、割符ファイルの保存先を記録させる割符ショートカット処理を実行する割符ショートカット処理機能を有し、
任意のパソコンのＵＳＢポートに差し込まれた当該ＵＳＢメモリ内の格納手段に格納されたデータファイルについて、割符ショートカット処理を実行させること
を特徴とするデータファイルの割符処理をＵＳＢメモリで実行させるシステム。
【請求項３】
請求項１又は２に記載されたデータファイルの割符処理を行うＵＳＢメモリの使用方法に使用されるＵＳＢメモリ。
【請求項４】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるＵＳＢメモリの使用方法であって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするデータファイルの割符処理を行うＵＳＢメモリの使用方法。
【請求項５】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるＵＳＢメモリによる顧客へのデータ提供方法であって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするＵＳＢメモリによる顧客へのデータ提供方法。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別認証情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるデータファイルの割符処理をＵＳＢメモリで実行させるシステムであって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするデータファイルの割符処理をＵＳＢメモリで実行させるシステム。
【請求項２】
請求項１に記載されたデータファイルの割符処理をＵＳＢメモリで実行させるシステムにおいて、割符処理手段が割符ファイルの消去・復元機能及び割符ファイルの保存先を記録させる割符ショートカット処理のためのプログラムを含み、ＵＳＢメモリ内の割符ファイルの消去・ＵＳＢメモリ内への復帰を実行して、割符ファイルを外部の各種ストレージへの送信・消去・復帰させる割符ファイルの送信・消去・復帰機能、及び割符ファイルの割符ショートカット処理機能を有して形成され、書き換え不能な識別認証情報に基づいて生成された環境情報を取得するプログラムを含み、割符ファイルの保存先を記録させる割符ショートカット処理を実行する割符ショートカット処理機能を有し、
任意のパソコンのＵＳＢポートに差し込まれた当該ＵＳＢメモリ内の格納手段に格納されたデータファイルについて、割符ショートカット処理を実行させること
を特徴とするデータファイルの割符処理をＵＳＢメモリで実行させるシステム。
【請求項３】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別認識情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるＵＳＢメモリであって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするデータファイルの割符処理を行うＵＳＢメモリ。
【請求項４】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別認識情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるＵＳＢメモリの使用方法であって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするデータファイルの割符処理を行うＵＳＢメモリの使用方法。
【請求項５】
格納手段、割符処理手段及び識別認証情報取得手段を内蔵し、
パソコンに内蔵されたＯＳとは別個のWindowsＯＳを形成・実行するプログラム及び割符設定のソフトウエアを実行するプログラム、書き換え不能な識別認証情報に基づいて生成された環境情報を取得するプログラムからなる３つのプログラムを格納手段に格納させ、
割符処理手段に、
WindowsＯＳを形成・実行するプログラム及び割符処理を実行するプログラムを含んだ割符処理機能及び割符ファイルを消去・復帰させるプログラムを含み、WindowsＯＳを形成・実行するプログラム及び割符処理を実行するプログラムによって、当該プログラムの実行に必要とされるパソコンの環境情報を参照し取得して当該ＵＳＢメモリ内で、データファイルを作成させ、当該ＵＳＢメモリ内で作成されたデータファイルについて、データ割符処理を実行させ、外部のストレージ、またはＵＳＢメモリ内に保存させ、
識別認証情報取得手段に、
書き換え不能な識別認証情報に基づいて生成された環境情報を取得するプログラムによって、当該ＵＳＢメモリがパソコンのＵＳＢポートに差し込まれ、所定の操作がなされると作動させて、所定の識別認証情報を取得させるＵＳＢメモリによる顧客へのデータ提供方法であって、
当該ＵＳＢメモリをパスワード認証可能な任意のパソコンのＵＳＢポートに差し込ませ、所定の操作がなされると、前記割符処理手段及び識別情報取得手段を作動させて、所定の識別認証情報が識別されると、当該パソコンに内蔵されたＯＳに依存することなく、当該ＵＳＢメモリ内で、当該WindowsＯＳを形成・実行するプログラム及び割符処理を実行するプログラムを実行させ、当該プログラムの実行に必要とされるパソコンの環境情報を参照して取得させて、任意のパソコンのＵＳＢポートに差し込まれた当該ＵＳＢメモリ内で生成されたデータファイルについて、データ割符処理を実行させること
を特徴とするＵＳＢメモリによる顧客へのデータ提供方法。